(57)【要約】【課題】  コンベヤの途中を傾斜させる必要のあるレイアウトでも別体のコンベヤを組み合わせることなく一つのコンベヤで連続的な搬送路を構成できるベルトコンベヤ装置を提供する。【解決手段】  途中をＶ字状となるように所定角度に屈折させたコンベヤフレーム２の始終端間に無端のコンベヤベルト４を掛架し、コンベヤフレーム２間のＶ字状の屈折フレーム３に回転自在の押えローラ６を上下揺動可能に取り付ける。従って、屈折角度によっては掛架したコンベヤベルト４の往路がコンベヤフレーム２から浮き上がるが、これを屈折部に取り付けた押えローラ６で屈折形状に沿わせるように押えることで、コンベヤの途中を傾斜させる必要のあるレイアウトでも一つの連続したシンプルな構造の搬送路にでき、また押えローラ６は上下揺動可能であるから、搬送物の通過を妨げない。【選択図】図２ 
2005185432.tif 000002
【特許請求の範囲】
【請求項１】
途中をＶ字状となるように所定角度に屈折させたコンベヤフレームの始終端間に無端のコンベヤベルトを掛架し、コンベヤフレームのＶ字状の屈折部に前記コンベヤベルトの往路面を上方から押えて屈折形状に沿わせる回転自在の押えローラを上下揺動可能に取り付けたベルトコンベヤ装置。
【請求項２】
押えローラの外周面に搬送物の通過空間となる凹所を形成した請求項１記載のベルトコンベヤ装置。
【請求項３】
押えローラに所定重量の重りを設け、同重りの重量でコンベヤベルトを押えるようにした請求項１又は２記載のベルトコンベヤ装置。
【請求項４】
押えローラが、バネの付勢でコンベヤベルトを押えるように取り付けたものである請求項１又は２記載のベルトコンベヤ装置。
【請求項５】
コンベヤフレームの屈折部が、その前後の直線部と箱型の凹所及び凸所で嵌着自在に分離できる構造にした請求項１〜４いずれか記載のベルトコンベヤ装置。
【請求項６】
請求項１〜５いずれか記載のベルトコンベヤ装置が、遊技機のメダルの搬送に用いられるものであるベルトコンベヤ装置。
【発明の詳細な説明】
【技術分野】
【０００１】
本発明は、主として遊技機のメダル・コイン等（以下メダルという）の搬送に用いるベルトコンベヤ装置に関する。
【背景技術】
【０００２】
従来、遊技場において、スロットマシン等のメダルを用いる遊技機に使用済のメダルを回収してメダル洗浄研磨装置等へ搬送するベルトコンベヤ装置を設けている。このベルトコンベヤ装置は、通常遊技機の下方に水平に設置されるが、搬送先の高さや遊技機とのレイアウトの都合により水平から途中で傾斜させる必要が生じる場合があり、その際、図１２に示すようにベルトコンベヤ装置２１を２体用いて搬送路を構成している。２０は遊技機、２０ａはメダル排出路、２２は回収装置である。しかし、この方法は駆動部２１ａがコンベヤ毎に必要であるからコストがかかり、構造も複雑で設置スペースを大きく取る問題があった。
【０００３】
一方、複数の遊技機２０をその背面同士を対向させて配置したものについて図１３に示している。図１３（ａ）は列設した各遊技機２０それぞれにベルトコンベヤ装置２１を設置して独立した搬送路を構築した例で、図１３（ｂ）は対向する遊技機２０の下部中央に配置した一つのベルトコンベヤ装置２１に向けてメダル排出路２０ａを傾斜させて設けた構造の例である。しかしながら、図１３（ａ）のものはベルトコンベヤ装置２１が多数必要でコスト高となり、図１３（ｂ）のものは水平側のベルトコンベヤ装置２１を低く配置できないから、その分メダル排出路２０ａの傾斜角θが緩やかになってメダルｍが迅速に排出されにくくなる問題もあった。
【特許文献１】実開平６−３５２１５号公報
【発明の開示】
【発明が解決しようとする課題】
【０００４】
本発明が解決しようとする課題は、従来のこれらの問題点を解消し、コンベヤの途中を傾斜させる必要のあるレイアウトでも、別体のコンベヤを組み合わせることなく一つのコンベヤで連続的な搬送路を構成できる低コスト省スペースのベルトコンベヤ装置を提供することにある。
【課題を解決するための手段】
【０００５】
かかる課題を解決した本発明の構成は、
１）  途中をＶ字状となるように所定角度に屈折させたコンベヤフレームの始終端間に無端のコンベヤベルトを掛架し、コンベヤフレームのＶ字状の屈折部に前記コンベヤベルトの往路面を上方から押えて屈折形状に沿わせる回転自在の押えローラを上下揺動可能に取り付けたベルトコンベヤ装置
２）  押えローラの外周面に搬送物の通過空間となる凹所を形成した前記１）記載のベルトコンベヤ装置
３）  押えローラに所定重量の重りを設け、同重りの重量でコンベヤベルトを押えるようにした前記１）又は２）記載のベルトコンベヤ装置
４）  押えローラが、バネの付勢でコンベヤベルトを押えるように取り付けたものである前記１）又は２）記載のベルトコンベヤ装置
５）  コンベヤフレームの屈折部が、その前後の直線部と箱型の凹所及び凸所で嵌着自在に分離できる構造にした前記１）〜４）いずれか記載のベルトコンベヤ装置
６）  前記１）〜５）いずれか記載のベルトコンベヤ装置が、遊技機のメダルの搬送に用いられるものであるベルトコンベヤ装置
にある。
【発明の効果】
【０００６】
本発明では、コンベヤフレームのＶ字状の屈折角度によっては掛架したコンベヤベルトの往路がコンベヤフレームから浮き上がるが、これを屈折部に取り付けた回転自在の押えローラで屈折形状に沿わせるように押える。従って、コンベヤの途中を傾斜させる必要のあるレイアウトでも分割することなく一つの連続したシンプルな構造の搬送路にでき、また押えローラは上下揺動可能であるから、搬送物の通過を妨げず円滑な搬送を可能にする。
【発明を実施するための最良の形態】
【０００７】
本発明の押えローラは、自重で押えるものと、重りの重量で押えるものと、バネ等の付勢力で押えるものがあり、コンベヤベルトの剛性や屈折角度に応じて任意に選定される。押えローラはその外周面に凹所を形成して搬送物が押えローラを円滑に通過できるようにするのが望ましい。コンベヤフレームはその屈折部を直線部と分離できる構造にし、屈折部の部品を屈折角度に応じて多数用意すると、部品を共通化して様々なレイアウトの搬送路を低コストで構成できる。以下、本発明の実施例を図面に基づいて具体的に説明する。
【実施例１】
【０００８】
図１〜６に示す実施例は、本発明のベルトコンベヤ装置を遊技場のスロットマシンのメダル回収に適用した例である。図１は実施例のベルトコンベヤ装置の設置状態を示す説明図、図２は実施例のベルトコンベヤ装置の全体斜視図、図３は実施例のベルトコンベヤ装置の屈折部の拡大斜視図、図４は実施例のベルトコンベヤ装置の屈折部の分解斜視図、図５，６は実施例の押えローラの動作を示す説明図である。
【０００９】
本実施例のベルトコンベヤ装置１は、図１，２に示すように２体の直線用のコンベヤフレーム２の間に搬送路を途中から所定角度に傾斜させる屈折フレーム３を介装し、左側のコンベヤフレーム２の終端部にモータ５を取り付け、モータ５の出力軸に軸着した歯車５ａとコンベヤフレーム２の終端部の駆動軸５ｃに軸着した歯車５ｂとの間に駆動チェーン５ｄを掛架し、駆動軸５ｃと右側のコンベヤフレーム２の従動軸５ｅとの間にコンベヤベルト４を掛架して構成されている。
【００１０】
このベルトコンベヤ装置１を複数並設された各スロットマシン１０の下方に右側のコンベヤフレーム２が水平となるように設置して左側のコンベヤフレーム２が上方へ傾斜するように配置し、各スロットマシン１０のメダルｍをベルトコンベヤ装置１へ排出するメダル排出路１０ａを垂下し、搬送先の下方に回収装置１１を設置している。
【００１１】
また、回収装置１１で回収したメダルｍを洗浄研磨するメダル洗浄研磨装置１２を設置し、メダル洗浄研磨装置１２で洗浄研磨されたメダルｍを上方へ搬送するリフター１３を設置し、リフター１３で搬送されたメダルｍを各スロットマシン１０の上方に供給するベルトコンベヤ装置１４を設置し、ベルトコンベヤ装置１４で供給されたメダルｍを各スロットマシン１０に送出するメダル送出路１４ａを垂下している。
【００１２】
ベルトコンベヤ装置１の屈折部は、図３，４に示すように屈折フレーム３の前後にコンベヤフレーム２の嵌合凹所２ａに嵌合させる箱型の嵌合凸所３ａが形成され、コンベヤフレーム２の嵌合凹所２ａの両外面及び各嵌合凸所３ａの両側面にボルト穴２ｂ，３ｂを連通するように形成され、嵌合後にボルト２ｃで脱着可能に連結している。
【００１３】
屈折フレーム３の右側上端の立上がり部には軸穴３ｃを形成し、軸穴３ｃに押えローラ６のローラ６ｈを上下揺動可能に軸支する揺動アーム６ａをその軸穴６ｂにシャフト６ｄ・ワッシャ６ｅ・軸受６ｆを介して固定具６ｇで軸支し、揺動アーム６ａの二股先端部の軸穴６ｃにはローラ６ｈをワッシャ６ｅ・軸受６ｆを介して固定具６ｇで軸支している。６ｉは搬送物であるメダルｍを通過させるために形成した通過空間である。
【００１４】
本実施例のベルトコンベヤ装置１では、モータ５を作動させるとコンベヤベルト４が右側から左側へ回動し、図５（ａ），図６（ａ）に示すように押えローラ６は自重でコンベヤベルト４の往路４ａを押えて浮き上がりを防止するとともに往路４ａとの摩擦によって自転する。スロットマシン１０からメダルｍがメダル排出路１０ａを通じて排出されると、メダルｍはコンベヤベルト４の往路４ａに落下して左側へ搬送され、途中の屈折フレーム３を通過して上方へ搬送されて回収装置１１に回収される。４ｂはコンベヤベルト４の復路である。
【００１５】
このとき屈折フレーム３をメダルｍが通過する際、図５（ｂ），図６（ｂ）に示すように押えローラ６がメダルｍの厚さ（重なった総厚）分上方へ自転しながら揺動し、メダルｍの通過を妨げることなく円滑に搬送される。しかも上方へ揺動した押えローラ６は依然自重でメダルｍを介してコンベヤベルト４の往路４ａを押えており、コンベヤベルト４の浮き上がりは常時発生しない。
【００１６】
その後、回収されたメダルｍはメダル洗浄研磨装置１２で洗浄研磨された後、リフター１３で上方へ搬送されてベルトコンベヤ装置１４で各スロットマシン１０の上方に再び供給され、メダル送出路１４ａで各スロットマシン１０にそれぞれ送り込まれることとなる。
【００１７】
図７，８に示すのは実施例の押えローラの他の例である。図７，８は実施例の他の例の押えローラの説明図である。図７に示す押えローラ６はローラ６ｈの軸支部に所定重量の重り７を取り付けており、屈折角度が大きい場合やコンベヤベルト４が剛性を有している場合に押えローラ６の自重と重り７の重量で効果的にコンベヤベルト４の浮き上がりを防止できるようにしている。また、図８に示す押えローラ６は揺動アーム６ａの軸支部にバネ８を取り付けて付勢力でコンベヤベルト４の浮き上がりを防止できるようにしている。その他、符号、構成は実施例と同じである。
【００１８】
図９に示すのは実施例の押えローラの他の例である。図９は実施例の他の例の押えローラの説明図である。図９（ａ），（ｂ）に示す押えローラ６は、そのローラ６ｈの外周面に形成されているメダルｍの通過空間６ｉの様々な形状を示している。図９（ａ）に示すものは断面を長方形状に形成して通過空間６ｉを大きく取った例であり、図９（ｂ）に示すのはコンベヤベルト４が広幅の場合において、通過空間６ｉを２箇所形成して３箇所でコンベヤベルト４の往路４ａを押えるようにしている。その他、符号、構成、作用効果は実施例と同じである。
【００１９】
図１０に示すのは実施例のベルトコンベヤ装置の他の例である。図１０は実施例の他の例のベルトコンベヤ装置の説明図である。図１０に示すベルトコンベヤ装置１は、全体がＵ字型となるように５体のコンベヤフレーム２と２体の屈折フレーム３を組み合わせている。９は凸曲部に配置させるガイドローラである。このように、搬送路を組むときに障害物等を迂回させる必要のあるレイアウトなどでも、一つのモータ５で一本の連続的なベルトコンベヤ装置を自在に構成できる。その他、符号、構成、作用効果は実施例と同じである。
【００２０】
図１１に示すのは実施例のベルトコンベヤ装置の配置の他の例である。図１１は実施例の他の例のベルトコンベヤ装置の設置状態を示す説明図で、複数のスロットマシン１０をその背面同士を対向させて配置した状態を横方向から図示したものである。対向する各スロットマシン１０の下部中央にベルトコンベヤ装置１を設置し、各スロットマシン１０のメダル排出路１０ａをベルトコンベヤ装置１に向けてそれぞれ傾斜させている。
【００２１】
従って、本発明のベルトコンベヤ装置１はレイアウトに制限されない構造で低く設置できるから、メダル排出路１０ａの傾斜角θを水平に対して大きく取って急勾配にでき、メダルｍをベルトコンベヤ装置１に迅速に排出させることが可能となる。その他、符号、構成は実施例と同じである。
【産業上の利用可能性】
【００２２】
本発明のベルトコンベヤ装置は、主としてメダルやコイン等の遊技機の遊技媒体の搬送に用いられるが、その他、従来のベルトコンベヤで搬送される様々な搬送物の汎用ベルトコンベヤに応用できる。
【図面の簡単な説明】
【００２３】
【図１】実施例のベルトコンベヤ装置の設置状態を示す説明図である。
【図２】実施例のベルトコンベヤ装置の全体斜視図である。
【図３】実施例のベルトコンベヤ装置の屈折部の拡大斜視図である。
【図４】実施例のベルトコンベヤ装置の屈折部の分解斜視図である。
【図５】実施例の押えローラの動作を示す説明図である。
【図６】実施例の押えローラの動作を示す説明図である。
【図７】実施例の他の例の押えローラの説明図である。
【図８】実施例の他の例の押えローラの説明図である。
【図９】実施例の他の例の押えローラの説明図である。
【図１０】実施例の他の例のベルトコンベヤ装置の説明図である。
【図１１】実施例の他の例のベルトコンベヤ装置の設置状態を示す説明図である。
【図１２】従来のベルトコンベヤ装置の説明図である。
【図１３】従来のベルトコンベヤ装置の説明図である。
【符号の説明】
【００２４】
１  ベルトコンベヤ装置
２  コンベヤフレーム
２ａ  嵌合凹所
２ｂ  ボルト穴
３  屈折フレーム
３ａ  嵌合凸所
３ｂ  ボルト穴
３ｃ  軸穴
４  コンベヤベルト
４ａ  往路
４ｂ  復路
５  モータ
５ａ，５ｂ  歯車
５ｃ  駆動軸
５ｄ  駆動チェーン
５ｅ  従動軸
６  押えローラ
６ａ  揺動アーム
６ｂ，６ｃ  軸穴
６ｄ  シャフト
６ｅ  ワッシャ
６ｆ  軸受
６ｇ  固定具
６ｈ  ローラ
６ｉ  通過空間
７  重り
８  バネ
９  ガイドローラ
１０  スロットマシン
１０ａ  メダル排出路
１１  回収装置
１２  メダル洗浄研磨装置
１３  リフター
１４  ベルトコンベヤ装置
１４ａ  メダル送出路
２０  遊技機
２０ａ  メダル排出路
２１  ベルトコンベヤ装置
２１ａ  駆動部
２２  回収装置
ｍ  メダル
【図１】
2005185432.tif 000003
【図２】
2005185432.tif 000004
【図３】
2005185432.tif 000005
【図４】
2005185432.tif 000006
【図５】
2005185432.tif 000007
【図６】
2005185432.tif 000008
【図７】
2005185432.tif 000009
【図８】
2005185432.tif 000010
【図９】
2005185432.tif 000011
【図１０】
2005185432.tif 000012
【図１１】
2005185432.tif 000013
【図１２】
2005185432.tif 000014
【図１３】
2005185432.tif 000015